(57)【特許請求の範囲】
【請求項１】
帯状の帯封媒体を巻き出す帯封媒体巻出部と、
前記帯封媒体巻出部から巻き出された帯封媒体を保持し、帯封位置にある紙葉類の束の周囲を移動することにより帯封媒体を紙葉類の束に巻く帯封媒体保持部と、
前記帯封媒体巻出部から巻き出された帯封媒体を切断するための切断部と、
を備え、
前記帯封媒体保持部は軸を中心として回転可能となっており、
前記帯封位置にある紙葉類の束に帯封媒体が巻かれて前記切断部により帯封媒体が切断されることにより帯封紙葉類が作成されるようになっており、
前記帯封媒体保持部は、帯封紙葉類が前記帯封位置から移動する際に当該帯封紙葉類と一体的に移動することによってこの帯封紙葉類における紙葉類の束と帯封媒体との間の隙間から外れるような構成となっており、
前記帯封媒体保持部は、帯封紙葉類が前記帯封位置から移動する際に当該帯封紙葉類と連動して回転するようになっている、帯封機構。
【請求項２】
帯状の帯封媒体を巻き出す帯封媒体巻出部と、
前記帯封媒体巻出部から巻き出された帯封媒体を保持し、帯封位置にある紙葉類の束の周囲を移動することにより帯封媒体を紙葉類の束に巻く帯封媒体保持部と、
前記帯封媒体巻出部から巻き出された帯封媒体を切断するための切断部と、
前記帯封媒体保持部を待機位置に維持するよう当該帯封媒体保持部を付勢する付勢部と、
を備え、
前記帯封位置にある紙葉類の束に帯封媒体が巻かれて前記切断部により帯封媒体が切断されることにより帯封紙葉類が作成されるようになっており、
前記帯封媒体保持部は、帯封紙葉類が前記帯封位置から移動する際に当該帯封紙葉類と一体的に移動することによってこの帯封紙葉類における紙葉類の束と帯封媒体との間の隙間から外れるような構成となっており、
前記帯封媒体保持部が帯封紙葉類と一体的に移動する際に、前記付勢部による付勢力に抗して前記帯封媒体保持部は待機位置から外れるようになっている、帯封機構。
【請求項３】
請求項１または２記載の帯封機構と、
紙葉類の束を挟持する一対のアーム部を有しており、紙葉類の束を保持しながら搬送するアーム機構と、
を備え、
前記帯封機構は、前記アーム機構の一対の前記アーム部により挟持された状態にある紙葉類の束に帯封媒体を巻くことによって帯封紙葉類を形成するようになっており、
前記アーム機構の一対の前記アーム部により挟持された状態にある帯封紙葉類が前記帯封位置から移動させられる際に前記帯封機構の前記帯封媒体保持部は帯封紙葉類と一体的に移動し、このことにより帯封紙葉類における紙葉類の束と帯封媒体との間の隙間から前記帯封媒体保持部が外れるようになっている、紙葉類処理装置。
【発明の詳細な説明】
【技術分野】
【０００１】
本発明は、所定枚数（例えば、１００枚）の紙幣等の紙葉類の束を帯封紙等の帯封媒体により帯封して帯封紙葉類を作成する帯封機構およびこのような帯封機構を備えた紙葉類処理装置に関する。
【背景技術】
【０００２】
従来から、所定枚数（例えば、１００枚）の紙幣の束を帯封紙により帯封して帯封紙幣を作成する帯封機構として様々なタイプのものが知られている。このような帯封機構として、例えば特許文献１等に開示されるものが従来から知られている。一般的な帯封機構では、帯封紙巻出ロールから巻き出された帯状の帯封紙の先端近傍の箇所を帯封紙保持部（例えば、テープホルダ）により保持し、紙幣の束が搬送アーム機構により帯封位置に送られると帯封紙保持部がこの紙幣の束の周囲を１周することにより帯封紙を紙幣の束に巻くようになっている。その後、帯封紙を引っ張ることにより紙幣の束に帯封紙を巻き付け、ヒータにより帯封紙の重複部分を溶着するとともにカッターにより帯封紙を切断することによって帯封紙幣が作成されるようになっている。
【先行技術文献】
【特許文献】
【０００３】
【特許文献１】特開２００４−２６２４５７号公報
【発明の概要】
【発明が解決しようとする課題】
【０００４】
従来の帯封機構では、帯封紙幣が作成された後に、このような帯封紙幣における紙幣の束と帯封紙との間から帯封紙保持部を抜き取るために、帯封紙幣における紙幣の束に巻かれた帯封紙と直交する方向に帯封紙保持部を移動させるアクチュエータ等の駆動部やリンク機構が設けられていた。しかしながら、このような駆動部やリンク機構を設けた場合には、帯封紙幣が作成された後に駆動部によって帯封紙保持部を移動させ、帯封紙保持部を帯封紙幣から抜き取った後に帯封紙幣を帯封位置から別の場所に移動させるため、処理時間が長くなってしまうという問題があった。また、帯封紙保持部を帯封紙幣から抜き取るための駆動部やリンク機構を設けた場合には、帯封機構の製造コストが増えてしまうという問題があった。
【０００５】
本発明は、このような点を考慮してなされたものであり、帯封紙葉類を帯封位置から別の場所に移動させる動作および帯封紙葉類における紙葉類の束と帯封媒体との間の隙間から帯封媒体保持部を抜き取る動作を同時に行うことによって処理時間を短くすることができ、また帯封媒体保持部を帯封紙葉類から抜き取るための駆動部やリンク機構を設ける必要がないため製造コストを低減することができる帯封機構および紙葉類処理装置を提供することを目的とする。
【課題を解決するための手段】
【０００６】
本発明の帯封機構は、帯状の帯封媒体を巻き出す帯封媒体巻出部と、前記帯封媒体巻出部から巻き出された帯封媒体を保持し、帯封位置にある紙葉類の束の周囲を移動することにより帯封媒体を紙葉類の束に巻く帯封媒体保持部と、前記帯封媒体巻出部から巻き出された帯封媒体を切断するための切断部と、を備え、前記帯封媒体保持部は軸を中心として回転可能となっており、前記帯封位置にある紙葉類の束に帯封媒体が巻かれて前記切断部により帯封媒体が切断されることにより帯封紙葉類が作成されるようになっており、前記帯封媒体保持部は、帯封紙葉類が前記帯封位置から移動する際に当該帯封紙葉類と一体的に移動することによってこの帯封紙葉類における紙葉類の束と帯封媒体との間の隙間から外れるような構成となっており、前記帯封媒体保持部は、帯封紙葉類が前記帯封位置から移動する際に当該帯封紙葉類と連動して回転するようになっていることを特徴とする。
また、本発明の帯封機構は、帯状の帯封媒体を巻き出す帯封媒体巻出部と、前記帯封媒体巻出部から巻き出された帯封媒体を保持し、帯封位置にある紙葉類の束の周囲を移動することにより帯封媒体を紙葉類の束に巻く帯封媒体保持部と、前記帯封媒体巻出部から巻き出された帯封媒体を切断するための切断部と、前記帯封媒体保持部を待機位置に維持するよう当該帯封媒体保持部を付勢する付勢部と、を備え、前記帯封位置にある紙葉類の束に帯封媒体が巻かれて前記切断部により帯封媒体が切断されることにより帯封紙葉類が作成されるようになっており、前記帯封媒体保持部は、帯封紙葉類が前記帯封位置から移動する際に当該帯封紙葉類と一体的に移動することによってこの帯封紙葉類における紙葉類の束と帯封媒体との間の隙間から外れるような構成となっており、前記帯封媒体保持部が帯封紙葉類と一体的に移動する際に、前記付勢部による付勢力に抗して前記帯封媒体保持部は待機位置から外れるようになっていることを特徴とする。
【０００７】
このような帯封機構によれば、帯封紙葉類が帯封位置から移動する際に当該帯封紙葉類と一体的に帯封媒体保持部が移動することによってこの帯封紙葉類における紙葉類の束と帯封媒体との間の隙間から帯封媒体保持部が外れることにより、帯封紙葉類を帯封位置から別の場所に移動させる動作および帯封紙葉類における紙葉類の束と帯封媒体との間の隙間から帯封媒体保持部を抜き取る動作を同時に行うことができ、よって処理時間を短くすることができる。また、帯封媒体保持部を帯封紙葉類から抜き取るための駆動部やリンク機構を設ける必要がないため製造コストを低減することができる。
【００１０】
本発明の紙葉類処理装置は、上記の帯封機構と、紙葉類の束を挟持する一対のアーム部を有しており、紙葉類の束を保持しながら搬送するアーム機構と、を備え、前記帯封機構は、前記アーム機構の一対の前記アーム部により挟持された状態にある紙葉類の束に帯封媒体を巻くことによって帯封紙葉類を形成するようになっており、前記アーム機構の一対の前記アーム部により挟持された状態にある帯封紙葉類が前記帯封位置から移動させられる際に前記帯封機構の前記帯封媒体保持部は帯封紙葉類と一体的に移動し、このことにより帯封紙葉類における紙葉類の束と帯封媒体との間の隙間から前記帯封媒体保持部が外れるようになっていてもよい。
【発明の効果】
【００１１】
本発明の帯封機構および紙葉類処理装置によれば、帯封紙葉類を帯封位置から別の場所に移動させる動作および帯封紙葉類における紙葉類の束と帯封媒体との間の隙間から帯封媒体保持部を抜き取る動作を同時に行うことによって処理時間を短くすることができ、また帯封媒体保持部を帯封紙葉類から抜き取るための駆動部やリンク機構を設ける必要がないため製造コストを低減することができる。
【図面の簡単な説明】
【００１２】
【図１】本発明の実施の形態による貨幣処理機の外観を示す斜視図である。
【図２】図１に示す貨幣処理機における紙幣処理装置の内部構成を概略的に示す概略構成図である。
【図３】図１や図２に示す貨幣処理機における制御系の構成を示す機能ブロック図である。
【図４】図２等に示す貨幣処理機の帯封機構を側方から見たときの構成の詳細を示す構成図である。
【図５】（ａ）〜（ｃ）は、図４に示す帯封機構により帯封処理を行う際の動作を順に示す側面図である。
【図６】（ａ）〜（ｃ）は、図４に示す帯封機構により帯封処理を行う際の動作を順に示す側面図である。
【図７】（ａ）〜（ｃ）は、図４に示す帯封機構により帯封処理を行う際の動作を順に示す側面図である。
【図８】（ａ）〜（ｃ）は、図４に示す帯封機構により帯封処理を行う際の動作を順に示す側面図である。
【図９】図４に示す帯封機構において帯封紙幣が上下一対のガイド部から解放されたときの状態を示す側面図である。
【図１０】（ａ）〜（ｃ）は、図４に示す帯封機構において第１アーム機構の上下一対のアーム部により挟持された状態にある帯封紙幣が帯封位置から移動する際に帯封紙ホルダが帯封紙幣における紙幣束と帯封紙との間の隙間から外れるような動作を順に示す斜視図である。
【図１１】図４に示す帯封機構に設けられた下側のガイド部の構成の詳細を示す斜視図である。
【図１２】図４に示す帯封機構に設けられた押印部材の構成の詳細を示す斜視図である。
【図１３】図４に示す帯封機構に設けられた帯封紙案内部において一対の挟持部分が閉じているときの構成を示す断面図である。
【発明を実施するための形態】
【００１３】
以下、図面を参照して本発明の実施の形態について説明する。図１乃至図１２は、本実施の形態に係る紙幣処理装置およびこのような紙幣処理装置を備えた貨幣処理機を示す図である。このうち、図１は、本実施の形態による貨幣処理機の外観を示す斜視図であり、図２は、図１に示す貨幣処理機における紙幣処理装置の内部構成を概略的に示す概略構成図であり、図３は、図１や図２に示す貨幣処理機における制御系の構成を示す機能ブロック図である。また、図４は、図２等に示す貨幣処理機の帯封機構を側方から見たときの構成の詳細を示す構成図である。また、図５乃至図８は、図４に示す帯封機構により帯封処理を行う際の動作を順に示す側面図である。また、図９は、図４に示す帯封機構において帯封紙幣が上下一対のガイド部から解放されたときの状態を示す側面図であり、図１０は、（ａ）〜（ｃ）は、図４に示す帯封機構において第１アーム機構の上下一対のアーム部により挟持された状態にある帯封紙幣が帯封位置から移動する際に帯封紙ホルダが帯封紙幣における紙幣束と帯封紙との間の隙間から外れるような動作を順に示す斜視図である。また、図１１は、図４に示す帯封機構に設けられた下側のガイド部の構成の詳細を示す斜視図であり、図１２は、図４に示す帯封機構に設けられた押印部材の構成の詳細を示す斜視図である。また、図１３は、図４に示す帯封機構に設けられた帯封紙案内部において一対の挟持部分が閉じているときの構成を示す断面図である。
【００１４】
本実施の形態による貨幣処理機１は、バラ紙幣やバラ硬貨の入金処理や出金処理を行うことができるとともに、機体内で所定枚数（例えば、１００枚）のバラ紙幣から帯封紙幣を形成したり帯封紙幣の出金処理を行ったりすることができるようになっている。図１に示すように、本実施の形態による貨幣処理機１は、左右に並ぶよう配置された紙幣処理装置２および硬貨処理装置３から構成されている。なお、硬貨処理装置３については本発明と直接的な関係がないためその説明を省略する。
【００１５】
本実施の形態による貨幣処理機１における紙幣処理装置２の内部構成の詳細について図１および図２を用いて説明する。図１および図２に示すように、紙幣処理装置２は略直方体形状の筐体１２を有しており、この筐体１２の前面には、筐体１２の外部から内部にバラ紙幣を入金するための入金部１４、筐体１２の内部から外部にバラ紙幣を出金するためのバラ紙幣出金部１６、および筐体１２の内部から外部に帯封紙幣を出金するための帯封紙幣出金部１７がそれぞれ設けられている。なお、図２における筐体１２の左側の側面が紙幣処理装置２の前面側（すなわち、図１に示すように紙幣処理装置２を見たときの正面側）となっており、図２における右方向が筐体１２の奥行き方向となっている。ここで、図２に示すように、入金部１４にはシャッター１４ａが設けられており、このシャッター１４ａは、入金部１４における筐体１２の前面に面する開口を開閉するようになっている。そして、シャッター１４ａにより入金部１４の開口が開かれると、操作者は入金部１４にアクセスすることができるようになり、当該操作者は入金部１４に１または複数のバラ紙幣を積層状態で投入することができるようになる。なお、図１では、シャッター１４ａが開かれて操作者が入金部１４にアクセスすることができるようになっている状態が示されている。このようなシャッター１４ａはシャッター駆動部１４ｂ（図３参照）により駆動されるようになっている。なお、シャッター１４ａを設けずに入金部１４を開放したままの状態としてもよい。また、バラ紙幣出金部１６にはシャッター１６ａが設けられており、このシャッター１６ａは、バラ紙幣出金部１６の前面に面する開口および帯封紙幣出金部１７の前面に面する開口を一体的に開閉するようになっている。そして、シャッター１６ａによりバラ紙幣出金部１６および帯封紙幣出金部１７の開口が開かれると、操作者はバラ紙幣出金部１６および帯封紙幣出金部１７にそれぞれアクセスすることができるようになり、当該操作者はバラ紙幣出金部１６や帯封紙幣出金部１７に集積されているバラ紙幣や帯封紙幣を筐体１２の外部に取り出すことができるようになる。このようなシャッター１６ａはシャッター駆動部１６ｂ（図３参照）により駆動されるようになっている。
【００１６】
図２に示すように、筐体１２の前面における入金部１４の下方には、紙幣処理装置２においてバラ紙幣の出金処理が行われる際にバラ紙幣出金部１６により出金すべきではないと判断されたバラ紙幣が集積される出金リジェクト部２４、および紙幣処理装置２においてバラ紙幣の入金処理が行われる際に後述する一括バラ紙幣収納庫３２や各金種別バラ紙幣収納庫３４に収納すべきではないと判断されたバラ紙幣が集積される入金リジェクト部２６がそれぞれ設けられている。ここで、図１および図２に示すように、出金リジェクト部２４および入金リジェクト部２６にはそれぞれシャッター２４ａ、２６ａが設けられており、これらのシャッター２４ａ、２６ａは、出金リジェクト部２４や入金リジェクト部２６における筐体１２の前面に面する開口をそれぞれ開閉するようになっている。そして、シャッター２４ａ、２６ａにより出金リジェクト部２４や入金リジェクト部２６の開口が開かれると、操作者は出金リジェクト部２４や入金リジェクト部２６にアクセスすることができるようになり、当該操作者は出金リジェクト部２４や入金リジェクト部２６に集積されているバラ紙幣を筐体１２の外部に取り出すことができるようになる。このようなシャッター２４ａ、２６ａはシャッター駆動部２４ｂ、２６ｂ（図３参照）により駆動されるようになっている。なお、シャッター２６ａを設けずに入金リジェクト部２６を開放したままの状態としてもよい。また、本実施の形態では、入金部１４の隣である直下に出金リジェクト部２４が配置されているため、出金リジェクト部２４内の出金リジェクト紙幣を入金部１４に投入して筐体１２内へ戻すようないわゆる出金リジェクト戻し処理を行なうときに、離れた位置から入金部１４へ投入するのではないので利便性に富んでいる。
【００１７】
図２に示すように、入金部１４には、当該入金部１４に投入されたバラ紙幣を１枚ずつ筐体１２の内部に繰り出すための紙幣繰出機構１４ｃが設けられている。また、紙幣処理装置２の筐体１２の内部には、当該筐体１２内でバラ紙幣を１枚ずつ搬送する搬送部１５が設けられており、紙幣繰出機構１４ｃにより入金部１４から繰り出されたバラ紙幣は当該搬送部１５により搬送されるようになっている。また、搬送部１５には識別部２０が設けられており、搬送部１５により搬送されるバラ紙幣は識別部２０によりその金種、真偽、表裏、正損、新旧、搬送状態等が識別されるようになっている。また、搬送部１５には表裏反転部２２が設けられており、識別部２０により識別されたバラ紙幣は表裏反転部２２によりその表裏が揃うように反転させられるようになっている。
【００１８】
また、図２に示すように、搬送部１５には入金一時保留部３０、一括バラ紙幣収納庫３２および複数（図２に示す例では３つ）の金種別バラ紙幣収納庫３４がそれぞれ接続されており、搬送部１５からこれらの入金一時保留部３０、一括バラ紙幣収納庫３２および各金種別バラ紙幣収納庫３４にバラ紙幣が送られるようになっている。これらの入金一時保留部３０、一括バラ紙幣収納庫３２および各金種別バラ紙幣収納庫３４では、バラ紙幣が積層状態で集積されるようになっている。また、入金一時保留部３０には紙幣繰出繰入機構３０ａが設けられており、当該入金一時保留部３０に一時的に保留されているバラ紙幣は紙幣繰出繰入機構３０ａにより１枚ずつ搬送部１５に繰り出されるようになっている。また、紙幣繰出繰入機構３０ａにより搬送部１５から入金一時保留部３０に紙幣が１枚ずつ繰り入れられるようになっている。ここで、入金一時保留部３０には、バラ紙幣の入金処理において識別部２０により識別されたバラ紙幣が一括バラ紙幣収納庫３２や各金種別バラ紙幣収納庫３４に収納される前に一時的に保留されるようになっている。また、一括バラ紙幣収納庫３２には紙幣繰出繰入機構３２ａが設けられており、当該一括バラ紙幣収納庫３２に収納されているバラ紙幣は紙幣繰出繰入機構３２ａにより１枚ずつ搬送部１５に繰り出されるようになっている。また、紙幣繰出繰入機構３２ａにより搬送部１５から一括バラ紙幣収納庫３２にバラ紙幣が１枚ずつ繰り入れられるようになっている。ここで、一括バラ紙幣収納庫３２には、複数の金種のバラ紙幣が混合状態で収納されるようになっている。また、各金種別バラ紙幣収納庫３４には紙幣繰出繰入機構３４ａが設けられており、各金種別バラ紙幣収納庫３４に収納されているバラ紙幣は紙幣繰出繰入機構３４ａにより１枚ずつ搬送部１５に繰り出されるようになっている。また、紙幣繰出繰入機構３４ａにより搬送部１５から各金種別バラ紙幣収納庫３４にバラ紙幣が１枚ずつ繰り入れられるようになっている。ここで、各金種別バラ紙幣収納庫３４には、それぞれ予め設定された特定の金種のバラ紙幣が収納されるようになっている。
【００１９】
図１および図２に示すように、筐体１２の下部には前扉１２ａが設けられており、この前扉１２ａを開くことにより操作者は入金一時保留部３０の内部にアクセスすることができるようになっている。また、入金一時保留部３０、一括バラ紙幣収納庫３２および各金種別バラ紙幣収納庫３４は、筐体１２の内部から手前側に（すなわち、図２における左方向に）引き出し可能となっている引出ユニット１３に収容されている。そして、操作者が前扉１２ａを開いて引出ユニット１３を筐体１２の内部から手前側に引き出すことにより、当該操作者は一括バラ紙幣収納庫３２および各金種別バラ紙幣収納庫３４を引出ユニット１３から取り外すことができるようになる。
【００２０】
また、図２に示すように、搬送部１５には複数（図２に示す例では２つ）の整理一時保留部４０が接続されており、当該搬送部１５から各整理一時保留部４０にバラ紙幣が送られるとこれらの整理一時保留部４０にバラ紙幣が積層状態で集積されるようになっている。また、本実施の形態による紙幣処理装置２では、所定枚数（例えば、１００枚）のバラ紙幣からなる紙幣束に帯封紙を巻くことにより帯封紙幣を形成する帯封機構５０が設けられている。このような帯封機構５０の構成の詳細については後述する。
【００２１】
また、図２に示すように、筐体１２の内部には第１アーム機構４１および第２アーム機構４２が設けられている。第１アーム機構４１は、各整理一時保留部４０および帯封機構５０の間で移動可能となっており、各整理一時保留部４０に集積された所定枚数のバラ紙幣からなる紙幣束を帯封機構５０に搬送するようになっている。ここで、帯封機構５０において帯封処理が行われる際に、第１アーム機構４１の上下一対のアーム部により挟持された状態にある紙幣束の外周面に帯封紙が巻かれるようになっている。また、第１アーム機構４１は図２に示す位置から上方に移動して第２アーム機構４２に対向する位置まで到達することができるようになっている。このことにより、各整理一時保留部４０から第１アーム機構４１により取り出された１または複数の束状態のバラ紙幣を当該第１アーム機構４１から第２アーム機構４２に受け渡したり、帯封機構５０により形成された帯封紙幣を第１アーム機構４１から第２アーム機構４２に受け渡したりすることができるようになる。
【００２２】
第２アーム機構４２は図２に示す位置からバラ紙幣出金部１６に向かって筐体１２の手前側に（すなわち、図２における左方向に）移動することができるようになっている。このことにより、第１アーム機構４１から１または複数の束状態のバラ紙幣や帯封紙幣が第２アーム機構４２に受け渡された後、第２アーム機構４２の上下一対のアーム部により１または複数の束状態のバラ紙幣や帯封紙幣が挟持された状態で当該第２アーム機構４２が図２の矢印に示すようにバラ紙幣出金部１６に向かって移動することにより、第２アーム機構４２によって保持されている１または複数の束状態のバラ紙幣や帯封紙幣がバラ紙幣出金部１６に送られるようになる。より詳細には、図２に示すように、バラ紙幣出金部１６の背面側（すなわち、図２における右側）には、図２に示す位置から下方に移動可能となっている、鉛直方向に延びる板状の分離部材１９が設けられており、第２アーム機構４２の上下一対のアーム部により１または複数の束状態のバラ紙幣や帯封紙幣が挟持された状態で当該第２アーム機構４２の各アーム部がバラ紙幣出金部１６の内部にアクセスした後、分離部材１９が図２に示す位置から下方に移動し、その後に第２アーム機構４２において各アーム部から１または複数の束状態のバラ紙幣や帯封紙幣が解放されて当該第２アーム機構４２がバラ紙幣出金部１６から遠ざかる方向（すなわち、図２における右方向）に移動すると、１または複数の束状態のバラ紙幣や帯封紙幣は分離部材１９に当接することにより第２アーム機構４２から分離してバラ紙幣出金部１６に残るようになる。
【００２３】
また、図２に示すように、本実施の形態では、バラ紙幣出金部１６および帯封紙幣出金部１７をまたがって図２における上下方向に移動可能となっているステージ１８が設けられている。ここで、本実施の形態の紙幣処理装置２においてバラ紙幣の出金処理が行われる際には、ステージ１８は図２に示すように帯封紙幣出金部１７の底面近傍に位置するようになり、第２アーム機構４２からバラ紙幣出金部１６に送られた１または複数の束状態のバラ紙幣は当該バラ紙幣出金部１６に集積されるようになる。一方、本実施の形態の紙幣処理装置２において帯封紙幣の出金処理が行われる際には、ステージ１８は図２に示す位置から下方に移動してバラ紙幣出金部１６の底面近傍に位置するようになり、第２アーム機構４２からバラ紙幣出金部１６に帯封紙幣が送られると当該帯封紙幣はステージ１８上に集積されるようになる。そして、ステージ１８が上昇してバラ紙幣出金部１６から帯封紙幣出金部１７に移動すると、ステージ１８から帯封紙幣出金部１７に帯封紙幣が受け渡されて当該帯封紙幣は帯封紙幣出金部１７に集積されるようになる。本実施の形態では、紙幣処理装置２において複数の帯封紙幣の出金処理が行われるときには、帯封紙幣出金部１７に帯封紙幣が下から順次積み上げられるようになる。
【００２４】
また、図２に示すように、筐体１２の内部における上部領域には、一括帯封紙幣収納庫７０および複数（図２に示す例では３つ）の金種別帯封紙幣収納庫７２が設けられており、これらの一括帯封紙幣収納庫７０や各金種別帯封紙幣収納庫７２には、帯封機構５０により形成された帯封紙幣が積層状態で収納されるようになっている。具体的には、一括帯封紙幣収納庫７０には、複数の金種の帯封紙幣が混合状態で収納されるようになっており、一方、各金種別帯封紙幣収納庫７２には、それぞれ予め設定された特定の金種の帯封紙幣が収納されるようになっている。ここで、ある金種の金種別帯封紙幣収納庫７２がフル状態またはニアフル状態であり当該金種別帯封紙幣収納庫７２に帯封紙幣をこれ以上収納することができなくなった場合には、当該金種の帯封紙幣はオーバーフロー帯封紙幣として一括帯封紙幣収納庫７０に収納されるようになる。
【００２５】
一括帯封紙幣収納庫７０および各金種別帯封紙幣収納庫７２の内部にはそれぞれ図２における上下方向に移動可能となっているステージ７０ａ、７２ａが設けられており、一括帯封紙幣収納庫７０および各金種別帯封紙幣収納庫７２の上端部（天井部分）に設けられた開口からこれらの一括帯封紙幣収納庫７０および各金種別帯封紙幣収納庫７２に送られた帯封紙幣はステージ７０ａ、７２ａ上に積層状態で集積されるようになっている。また、一括帯封紙幣収納庫７０や各金種別帯封紙幣収納庫７２から帯封紙幣を出す場合には、ステージ７０ａ、７２ａが上昇することにより一括帯封紙幣収納庫７０や各金種別帯封紙幣収納庫７２の上端部（天井部分）に設けられた開口から帯封紙幣が上方に出されるようになる。
【００２６】
また、これらの一括帯封紙幣収納庫７０や各金種別帯封紙幣収納庫７２の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣出金部１７と一括帯封紙幣収納庫７０との間には判別部６２が設けられており、帯封紙幣搬送部６０により搬送される帯封紙幣は当該判別部６２によりその金種が判別されるようになっている。
【００２７】
ここで、帯封機構５０により形成された帯封紙幣を一括帯封紙幣収納庫７０や各金種別帯封紙幣収納庫７２に収納させる際には、第２アーム機構４２により帯封紙幣がステージ１８上に集積された後に当該ステージ１８が上昇して帯封紙幣搬送部６０の近傍の位置まで到達するようになる。また、循環ベルト６０ｂは図２における反時計回りの方向に循環移動する。このことにより、ステージ１８上の帯封紙幣が突起６０ａにより引っ掛けられて循環ベルト６０ｂの下面に沿って図２における右方向に搬送され、判別部６２によりその金種が判別された後、当該判別部６２による判別結果に基づいて一括帯封紙幣収納庫７０や各金種別帯封紙幣収納庫７２に収納されるようになる。一方、一括帯封紙幣収納庫７０や各金種別帯封紙幣収納庫７２に収納されている帯封紙幣を帯封紙幣出金部１７により出金する際には、循環ベルト６０ｂは図２における時計回りの方向に循環移動し、一括帯封紙幣収納庫７０や各金種別帯封紙幣収納庫７２から上方に押し出された帯封紙幣が突起６０ａにより引っ掛けられて循環ベルト６０ｂの下面に沿って図２における左方向に搬送されるようになる。また、ステージ１８が上昇して帯封紙幣搬送部６０の近傍の位置まで到達するようになる。そして、帯封紙幣搬送部６０により搬送される帯封紙幣の金種が判別部６２により判別された後、当該帯封紙幣はステージ１８上に１つずつ集積され、ステージ１８上に所定の数の帯封紙幣が集積されると当該ステージ１８が下降してこのステージ１８から帯封紙幣出金部１７に帯封紙幣が受け渡されるようになる。帯封紙幣が循環ベルト６０ｂの下面に沿って搬送される際に、一括帯封紙幣収納庫７０および各金種別帯封紙幣収納庫７２の上端部（天井部分）に設けられた開口のうち、帯封紙幣の繰り出しや繰り入れの対象となる一括帯封紙幣収納庫７０および各金種別帯封紙幣収納庫７２の開口が開くようになる。一方、帯封紙幣の繰り出しや繰り入れの対象外の一括帯封紙幣収納庫７０および各金種別帯封紙幣収納庫７２の開口はシャッター（図示しない）で塞がれるようになり、帯封紙幣の通過の妨げとならないようになっている。
【００２８】
次に、本実施の形態の紙幣処理装置２における帯封機構５０の構成の詳細について図４を用いて説明する。なお、図４において、第１アーム機構４１の上下一対のホルダ部により挟持された状態にある紙幣束を参照符号Ｐで示しており、この紙幣束に巻かれる帯封紙を参照符号Ｂで示している。図４に示すように、帯封機構５０は、帯状の帯封紙が巻かれた巻出ロール５１と、巻出ロール５１から巻き出された帯封紙に、帯封処理が行われる日付や時間等の所定内容の印字を行うインクジェットプリンタ等の印字部材５２と、巻出ロール５１から巻き出された帯封紙に金融機関名や「損券印」等の所定内容の押印を選択的に行うスタンプ等の押印部材５３とを有している。ここで、巻出ロール５１において帯状の帯封紙は回転軸５１ａの周囲に巻かれるようになっている。また、回転軸５１ａの駆動を行う駆動モータ５１ｂが設けられており、当該駆動モータ５１ｂにより回転軸５１ａは正逆両方向に回転可能となっている。具体的には、巻出ロール５１から帯封紙が巻き出される場合には駆動モータ５１ｂにより回転軸５１ａは図４における時計回りの方向に回転させられ、一方、帯封紙が巻出ロール５１に巻き戻される場合には駆動モータ５１ｂにより回転軸５１ａは図４における反時計回りの方向に回転させられるようになる。
【００２９】
また、図４に示すように、帯封機構５０は、巻出ロール５１から巻き出されて印字部材５２や押印部材５３により印字や押印が行われた帯封紙の先端近傍の箇所を保持するための帯封紙ホルダ５５（テープホルダ）と、紙幣束に巻かれて当該紙幣束に締め付けられた帯封紙の溶着および切断を行う溶着切断部５７とを有している。帯封紙ホルダ５５は、帯封紙を保持した状態で、帯封位置（具体的には、図４において参照符号Ｐで示す紙幣束の位置）にある紙幣束の周囲を移動することにより帯封紙を紙幣束に巻くようになっている。ここで、帯封紙ホルダ５５は一対のホルダ部分を有しており、これらのホルダ部分は互いに接近する方向および離間する方向に移動可能となっている。そして、帯封紙ホルダ５５により帯封紙の先端近傍の箇所を保持する際には、一対のホルダ部分が互いに接近する方向に移動し、これらのホルダ部分の間に帯封紙が挟持されるようになる。また、溶着切断部５７は、紙幣束に巻かれた帯封紙を溶着するヒータ５７ａと、紙幣束に巻かれてヒータ５７ａにより溶着された帯封紙を切断するカッター５７ｂとを有している。ここで、本実施の形態では、図５乃至図８に示すように、ヒータ５７ａおよびカッター５７ｂは同一の支持アーム５７ｃの先端に取り付けられており、この支持アーム５７ｃは図示しないアクチュエータによって動作されるようになっている。このように、本実施の形態では、帯封紙の溶着および切断を行う際に、アクチュエータによって支持アーム５７ｃが動作されることによりヒータ５７ａおよびカッター５７ｂが一体的に移動するようになっている。このような帯封紙ホルダ５５および溶着切断部５７を有する帯封機構５０では、帯封紙ホルダ５５によって図４に示すように帯封紙が紙幣束の周囲に巻かれた後に当該帯封紙が紙幣束に締め付けられ、その後に帯封紙が溶着切断部５７のヒータ５７ａによって溶着されるとともにカッター５７ｂによって帯封紙が切断されることにより、帯封紙幣が形成されるようになっている。
【００３０】
図５、図６および図１０に示すように、帯封紙ホルダ５５の一対のホルダ部分は、ホルダ支持部９０により支持されるようになっている。ここで、ホルダ支持部９０は、帯封紙ホルダ５５の一対のホルダ部分を支持する支持アーム９２を有しており、当該支持アーム９２は軸９４を中心として図５乃至図８における反時計回りの方向に回転するようになっている。ここで、図１０に示すように、支持アーム９２は、第１アーム部分９２ａおよび第２アーム部分９２ｂを有しており、第１アーム部分９２ａの先端部分に帯封紙ホルダ５５の一対のホルダ部分が設けられているとともに、第１アーム部分９２ａの基端部分は軸９２ｃを介して第２アーム部分９２ｂに取り付けられている。そして、第１アーム部分９２ａは第２アーム部分９２ｂに対して軸９２ｃを中心として回転自在となっている。また、軸９２ｃには図示しないねじりバネが設けられており、当該ねじりバネにより第１アーム部分９２ａは第２アーム部分９２ｂに対して軸９２ｃを中心として図１０における時計回りの方向に回転する力が常に付勢されるようになっている。また、支持アーム９２における軸９２ｃの近傍には図示しないストッパが設けられており、当該ストッパにより第１アーム部分９２ａは図１０（ｃ）に示す位置から軸９２ｃを中心として更に時計回りの方向に回転しないよう当該第１アーム部分９２ａの移動領域が規制されるようになっている。また、第２アーム部分９２ｂは軸９４を中心として回転自在となっており、この軸９４には図示しない駆動モータが設けられている。そして、このような駆動モータによって軸９４が回転されることにより支持アーム９２が軸９４を中心として回転するようになる。なお、図７および図８では、図面を見やすくするためにこれらの支持アーム９２や軸９４等からなるホルダ支持部９０の図示を省略している。
【００３１】
また、図４乃至図８に示すように、帯封機構５０には、上側ガイド部５８（図４では図示せず）および下側ガイド部５９からなる一対のガイド部が設けられている。ここで、第１アーム機構４１の上下一対のアーム部により挟持された状態にある紙幣束が帯封機構５０に送られると、当該紙幣束は一対のガイド部５８、５９の間の領域に位置するようになる。また、上側ガイド部５８および下側ガイド部５９は互いに接近する方向および離間する方向に移動可能となっている。そして、これらの上側ガイド部５８および下側ガイド部５９が互いに接近する方向に移動したときに、第１アーム機構４１の上下一対のアーム部により挟持された状態にある紙幣束がこれらの上側ガイド部５８および下側ガイド部５９の間で挟持されるようになっている。ここで、紙幣束の幅方向（長手方向）における上下一対のガイド部５８、５９により紙幣束が挟持される位置は、第１アーム機構４１の上下一対のアーム部により挟持される位置からずれるようになっている。具体的には、上下一対のガイド部５８、５９により紙幣束が挟持される位置は当該紙幣束の幅方向（長手方向）の一方寄りとなっているのに対し、第１アーム機構４１の上下一対のアーム部により挟持される位置は紙幣束の幅方向の他方寄りである。
【００３２】
また、図１１に示すように、下側ガイド部５９は、断面が凹形状となっているベース部分５９ａと、ベース部分５９ａの上端部分に設けられた左右一対の弾性部材５９ｂと、ベース部分５９ａの凹形状の内側縁に設けられた左右一対のガイド部分５９ｃとを有しており、一対のガイド部分５９ｃの間の距離は、帯封紙の幅の大きさよりもわずかに大きくなっている。このことにより、帯封紙は下側ガイド部５９における一対のガイド部分５９ｃの間の空間に入ることができるようになっている。また、第１アーム機構４１の上下一対のアーム部により挟持された状態にある紙幣束が上側ガイド部５８および下側ガイド部５９の間で挟持される際に、この紙幣束の下面が左右一対の弾性部材５９ｂに当接するようになる。
【００３３】
また、図４に示すように、巻出ロール５１、印字部材５２、押印部材５３はそれぞれ帯封機構５０の上部に設けられた第１引出ユニット５０ａに収容されており、一方、帯封紙ホルダ５５および溶着切断部５７は帯封機構５０の下部に設けられた第２引出ユニット５０ｂに収容されている。また、これらの第１引出ユニット５０ａおよび第２引出ユニット５０ｂはそれぞれ筐体１２から引き出し可能となっている。そして、巻出ロール５１の交換を行ったり、巻出ロール５１から巻き出された帯封紙を操作者が切断したりする場合には、第１引出ユニット５０ａおよび第２引出ユニット５０ｂを一体的に筐体１２から引き出した後、第１引出ユニット５０ａを更に引き出すことにより、操作者は第１引出ユニット５０ａの内部にアクセス可能となる。
【００３４】
また、図４に示すように、第２引出ユニット５０ｂにおける帯封紙の入口近傍には、第１引出ユニット５０ａから送られた帯封紙（すなわち、巻出ロール５１から巻き出されて印字部材５２や押印部材５３により印字や押印が行われた帯封紙）を帯封紙ホルダ５５の近傍の箇所に案内するための帯封紙案内部５４が設けられている。図５乃至図８に示すように、帯封紙案内部５４は、一対の挟持部分５４ａ、５４ｂを有しており、これらの挟持部分５４ａ、５４ｂの間から帯封紙が図５等における下方向に送り出されるようになっている。また、挟持部分５４ｂは挟持部分５４ａに対して軸５４ｃを中心として回転自在となっており、この軸５４ｃに設けられた図示しないねじりバネ等によって挟持部分５４ｂには軸５４ｃを中心として反時計回りの方向に回転する力が付勢されるようになっている。このことにより、挟持部分５４ｂに何ら力が加えられていない状態では、図１３に示すように、挟持部分５４ｂにおける、帯封紙が送り出される方向に対して直交する方向における両端部５４ｄ、５４ｅが挟持部分５４ａと接触し、帯封紙が送り出される方向に対して直交する方向における中央部には、挟持部分５４ａと協同で帯封紙が通過できる通路５４ｆが形成されるようになる。
【００３５】
また、本実施の形態による帯封機構５０では、図１２に示すように、押印部材５３は、金融機関名を帯封紙に押印する第１スタンプ部５３ａおよび損券印を帯封紙に押印する第２スタンプ部５３ｂを有しており、これらの第１スタンプ部５３ａおよび第２スタンプ部５３ｂには、それぞれ、上方からインクを補充することができるインクタンク等のインク補充部分５３ｃ、５３ｄが設けられている。このことにより、押印部材５３が設けられた第１引出ユニット５０ａが筐体１２の外部に引き出されたときにインク補充部分５３ｃ、５３ｄが露出することにより、操作者はこれらのインク補充部分５３ｃ、５３ｄにインクを上方から補充することができるようになる。このように、本実施の形態では、インク補充部分５３ｃ、５３ｄの視認性が向上することにより押印部材５３の第１スタンプ部５３ａや第２スタンプ部５３ｂへのインクの補充が容易となり、また、インクの補充し過ぎを防止することができるようになる。また、押印部材５３の第１スタンプ部５３ａや第２スタンプ部５３ｂにおけるインクの最適吸引量に合わせてインク補充部分５３ｃ、５３ｄの容量を設定することにより、第１スタンプ部５３ａや第２スタンプ部５３ｂのインクの最適な補充量が直感的に分かるようになっている。また、図１２に示すように、押印部材５３の第１スタンプ部５３ａおよび第２スタンプ部５３ｂには、それぞれ、上方を向いた押印面５３ｅ、５３ｆが設けられており、これらの押印面５３ｅ、５３ｆにより帯封紙に所定内容の押印が行われるようになっている。
【００３６】
また、本実施の形態の貨幣処理機１には、当該貨幣処理機１の各構成部材の制御を行う制御部８０が設けられている。より詳細には、図３に示すように、制御部８０には、紙幣処理装置２の入金部１４（具体的には、入金部１４に設けられた紙幣繰出機構１４ｃ）、搬送部１５、識別部２０、表裏反転部２２、入金一時保留部３０（具体的には、入金一時保留部３０に設けられた紙幣繰出繰入機構３０ａ）、一括バラ紙幣収納庫３２（具体的には、一括バラ紙幣収納庫３２に設けられた紙幣繰出繰入機構３２ａ）、各金種別バラ紙幣収納庫３４（具体的には、各金種別バラ紙幣収納庫３４に設けられた紙幣繰出繰入機構３４ａ）、第１アーム機構４１、第２アーム機構４２、帯封機構５０、帯封紙幣搬送部６０、判別部６２、一括帯封紙幣収納庫７０、各金種別帯封紙幣収納庫７２、各シャッター１４ａ、１６ａ、２４ａ、２６ａを開閉させるシャッター駆動部１４ｂ、１６ｂ、２４ｂ、２６ｂがそれぞれ接続されている。そして、識別部２０による紙幣の識別結果に係る信号や判別部６２による帯封紙幣の金種の判別結果に係る情報等が制御部８０に送られるとともに、制御部８０は紙幣処理装置２の各構成部材に指令信号を送ることによりこれらの構成部材の動作を制御するようになっている。
【００３７】
また、図３に示すように、制御部８０には硬貨処理装置３の各構成部材が接続されており、当該制御部８０が硬貨処理装置３の各構成部材の動作を制御することにより硬貨処理装置３においてバラ硬貨の入金処理や出金処理等が行われるようになっている。このような制御部８０による硬貨処理装置３の各構成部材の制御方法の詳細については説明を省略する。また、図３に示すように、制御部８０には操作表示部８２、記憶部８４、印字部８６および通信インターフェース部８８がそれぞれ接続されている。図１に示すように、操作表示部８２は貨幣処理機１の前面に設けられたタッチパネル等からなり、当該操作表示部８２には、貨幣処理機１における貨幣の処理状況や、紙幣処理装置２や硬貨処理装置３に収納されているバラ紙幣、帯封紙幣およびバラ硬貨の在高等に関する情報が表示されるようになっている。また、操作者は操作表示部８２により制御部８０に対して様々な指令を与えることができるようになっている。
【００３８】
記憶部８４には、貨幣処理機１における貨幣の処理履歴や、紙幣処理装置２や硬貨処理装置３に収納されているバラ紙幣、帯封紙幣およびバラ硬貨の在高等に関する情報が記憶されるようになっている。また、図１に示すように、印字部８６は貨幣処理機１の前面に設けられたプリンタ等からなり、当該印字部８６は、貨幣処理機１における貨幣の処理履歴や、紙幣処理装置２や硬貨処理装置３に収納されているバラ紙幣、帯封紙幣およびバラ硬貨の在高等に関する情報をレシート等に印字するようになっている。また、制御部８０は通信インターフェース部８８を介して本実施の形態による貨幣処理機１とは別に設けられた外部装置（具体的には、例えば上位端末）に対して信号の送受信を行うことができるようになっている。
【００３９】
次に、このような構成からなる貨幣処理機１における紙幣処理装置２の動作について説明する。なお、以下に示すような紙幣処理装置２の動作は、制御部８０が紙幣処理装置２の各構成部材を制御することにより行われるようになっている。
【００４０】
まず、紙幣処理装置２においてバラ紙幣の入金処理を行う際の動作について説明する。本実施の形態による紙幣処理装置２が待機状態となっているときに、操作者が入金処理開始の指令を操作表示部８２により制御部８０に入力したり上位端末等の外部装置から通信インターフェース部８８を介して制御部８０に入金処理開始の指令が送信されたりすると、入金部１４に設けられたシャッター１４ａが開かれるようになり、操作者は入金部１４に１または複数のバラ紙幣を投入することができるようになる。入金部１４に投入されたバラ紙幣は紙幣繰出機構１４ｃにより１枚ずつ筐体１２内に繰り出され、搬送部１５により１枚ずつ搬送される。そして、搬送部１５により搬送されるバラ紙幣は識別部２０によりその金種、真偽、表裏、正損、新旧、搬送状態等が識別される。また、識別部２０により識別されたバラ紙幣は表裏反転部２２によりその表裏が整えられる。そして、識別部２０により正常な紙幣ではないと識別された紙幣、すなわちリジェクト紙幣は表裏反転部２２から搬送部１５により入金リジェクト部２６に送られる。ここで、入金部１４に投入されたバラ紙幣が全て筐体１２内に繰り出されると、入金リジェクト部２６に設けられたシャッター２６ａが開かれるようになり、操作者は入金リジェクト部２６に集積されたリジェクト紙幣を手動で取り出し、入金部１４に再投入等することができるようになる。
【００４１】
一方、識別部２０により正常な紙幣であると識別されたバラ紙幣は、表裏反転部２２から搬送部１５により入金一時保留部３０に送られ、この入金一時保留部３０で一時的に保留されるようになる。そして、入金部１４に投入されたバラ紙幣が全て筐体１２内に繰り出されて入金一時保留部３０または入金リジェクト部２６に送られると、操作表示部８２には操作者に対して入金確定の指令を促すメッセージが表示される。操作表示部８２に表示される当該メッセージを見た操作者が操作表示部８２により入金確定の指令を入力すると、入金一時保留部３０から紙幣繰出繰入機構３０ａによりバラ紙幣が１枚ずつ搬送部１５に繰り出され、当該搬送部１５により一括バラ紙幣収納庫３２または各金種別バラ紙幣収納庫３４に送られる。より詳細には、入金一時保留部３０から搬送部１５に繰り出されたバラ紙幣は、識別部２０により識別され、表裏反転部２２によりその表裏が整えられた後に、対応する金種の各金種別バラ紙幣収納庫３４に送られるが、対応する金種の金種別バラ紙幣収納庫３４がフル状態またはニアフル状態である場合には当該バラ紙幣はオーバーフロー紙幣として一括バラ紙幣収納庫３２に送られるようになる。そして、入金一時保留部３０からバラ紙幣が全て搬送部１５に繰り出されて各金種別バラ紙幣収納庫３４や一括バラ紙幣収納庫３２に送られると、紙幣処理装置２におけるバラ紙幣の入金処理に係る一連の動作が完了する。
【００４２】
次に、紙幣処理装置２においてバラ紙幣の出金処理を行う際の動作について説明する。本実施の形態による紙幣処理装置２が待機状態となっているときに、出金すべきバラ紙幣の金種毎の枚数や合計金額等に係る情報を含むバラ紙幣の出金処理開始の指令を操作者が操作表示部８２により制御部８０に入力したり上位端末等の外部装置から通信インターフェース部８８を介して制御部８０に上記のバラ紙幣の出金処理開始の指令が送信されたりすると、出金すべき金種のバラ紙幣が各金種別バラ紙幣収納庫３４から１枚ずつ紙幣繰出繰入機構３４ａにより搬送部１５に繰り出される。そして、搬送部１５に繰り出されたバラ紙幣は当該搬送部１５により１枚ずつ搬送され、識別部２０によりその金種、表裏、搬送状態等が識別される。また、識別部２０により識別されたバラ紙幣は表裏反転部２２によりその表裏が整えられる。
【００４３】
識別部２０により識別されたバラ紙幣が、バラ紙幣出金部１６により出金することができると判断された紙幣である場合には、当該バラ紙幣はバラ紙幣出金部１６に送られる。具体的には、バラ紙幣出金部１６により出金することができると判断された紙幣は、識別部２０から搬送部１５により上下の整理一時保留部４０のうち一方の整理一時保留部４０に送られ、当該整理一時保留部４０に集積される。そして、整理一時保留部４０に集積されたバラ紙幣の枚数が出金すべき枚数（一枚も含む）に達すると、整理一時保留部４０に集積されたバラ紙幣の束が第１アーム機構４１により当該整理一時保留部４０から取り出される。その後、第１アーム機構４１が図２に示す位置から上昇して第２アーム機構４２に対向する位置まで移動することにより、整理一時保留部４０から取り出された紙幣の束は第１アーム機構４１から第２アーム機構４２に受け渡され、当該第２アーム機構４２により紙幣の束がバラ紙幣出金部１６に送られる。ここで、バラ紙幣の出金処理が行われる際には、ステージ１８は図２に示すように帯封紙幣出金部１７の底面近傍に位置するようになり、第２アーム機構４２からバラ紙幣出金部１６に送られたバラ紙幣は当該バラ紙幣出金部１６に集積されるようになる。そして、出金されるべきバラ紙幣が全てバラ紙幣出金部１６に送られると、このバラ紙幣出金部１６に設けられたシャッター１６ａが開くことにより、操作者はバラ紙幣出金部１６からバラ紙幣を取り出すことができるようになる。なお、識別部２０により識別されたバラ紙幣が、バラ紙幣出金部１６により出金することができると判断された紙幣ではない場合には、当該バラ紙幣は出金リジェクト部２４に送られてこの出金リジェクト部２４に集積されるようになる。
【００４４】
次に、紙幣処理装置２において帯封紙幣の出金処理を行う際の動作について説明する。本実施の形態による紙幣処理装置２が待機状態となっているときに、出金すべき帯封紙幣の金種毎の数や合計金額等に係る情報を含む帯封紙幣の出金処理開始の指令を操作者が操作表示部８２により制御部８０に入力したり上位端末等の外部装置から通信インターフェース部８８を介して制御部８０に上記の帯封紙幣の出金処理開始の指令が送信されたりすると、出金すべき帯封紙幣の金種に対応するバラ紙幣が各金種別バラ紙幣収納庫３４から１枚ずつ紙幣繰出繰入機構３４ａにより搬送部１５に繰り出される。そして、搬送部１５に繰り出されたバラ紙幣は当該搬送部１５により１枚ずつ搬送され、識別部２０によりその金種、表裏、搬送状態等が識別される。また、識別部２０により識別されたバラ紙幣は表裏反転部２２によりその表裏が整えられる。その後、バラ紙幣は搬送部１５により上下の整理一時保留部４０のうち一方の整理一時保留部４０に送られ、当該整理一時保留部４０に集積される。
【００４５】
そして、整理一時保留部４０に集積されたバラ紙幣の枚数が所定枚数（具体的には、例えば１００枚）に達すると、整理一時保留部４０に集積されたバラ紙幣の束が第１アーム機構４１により当該整理一時保留部４０から取り出され、この紙幣束は第１アーム機構４１により帯封機構５０に送られる。そして、帯封機構５０において、第１アーム機構４１の上下一対のアーム部により紙幣束が挟持された状態でこの紙幣束の外周面に帯封紙が巻かれることにより帯封紙幣が形成される。帯封機構５０において帯封処理が行われる際の動作の詳細については後述する。その後、第１アーム機構４１は帯封紙幣を保持した状態で図２に示す位置から上方に移動して第２アーム機構４２に対向する位置まで到達すると、第１アーム機構４１から第２アーム機構４２に帯封紙幣が受け渡される。そして、第２アーム機構４２が図２に示す位置からバラ紙幣出金部１６に向かって左方向に移動し、帯封紙幣がバラ紙幣出金部１６に送られる。ここで、帯封紙幣の出金処理が行われる際には、ステージ１８は図２に示す位置から下方に移動してバラ紙幣出金部１６の底面近傍に位置するようになり、第２アーム機構４２からバラ紙幣出金部１６に帯封紙幣が送られると当該帯封紙幣はステージ１８上に集積されるようになる。そして、ステージ１８が上昇してバラ紙幣出金部１６から帯封紙幣出金部１７に移動すると、ステージ１８から帯封紙幣出金部１７に帯封紙幣が受け渡されて当該帯封紙幣は帯封紙幣出金部１７に集積されるようになる。本実施の形態では、紙幣処理装置２において複数の帯封紙幣の出金処理が行われるときには、帯封紙幣出金部１７に帯封紙幣が下から順次積み上げられるようになる。そして、出金されるべき帯封紙幣が全て帯封紙幣出金部１７に送られると、バラ紙幣出金部１６に設けられたシャッター１６ａが開くことにより帯封紙幣出金部１７における筐体１２の前面に面する開口も開くようになり、操作者は帯封紙幣出金部１７から帯封紙幣を取り出すことができるようになる。
【００４６】
次に、紙幣処理装置２において帯封紙幣を形成して一括帯封紙幣収納庫７０や各金種別帯封紙幣収納庫７２に収納させるような帯封紙幣の収納処理を行う際の動作について説明する。紙幣処理装置２において帯封紙幣の収納処理を行う際の動作において、第２アーム機構４２からバラ紙幣出金部１６に送られた帯封紙幣がステージ１８上に集積されるまでの動作は上述した帯封紙幣の出金処理を行う際の動作と同一である。このため、帯封紙幣がステージ１８上に集積された後の動作について以下に説明する。
【００４７】
帯封機構５０により形成された帯封紙幣が第２アーム機構４２によりステージ１８上に集積されると、当該ステージ１８が上昇して帯封紙幣搬送部６０の近傍の位置まで到達する。また、帯封紙幣の収納処理が行われる際に、循環ベルト６０ｂは図２における反時計回りの方向に循環移動する。このことにより、帯封紙幣搬送部６０の近傍の位置に到達したステージ１８上の帯封紙幣が突起６０ａにより引っ掛けられて循環ベルト６０ｂの下面に沿って図２における右方向に搬送される。そして、帯封紙幣搬送部６０により搬送される帯封紙幣は判別部６２によりその金種が判別された後、当該判別部６２による判別結果に基づいて一括帯封紙幣収納庫７０や各金種別帯封紙幣収納庫７２に収納されるようになる。ここで、帯封紙幣搬送部６０により搬送される帯封紙幣は、基本的には判別部６２により判別された金種に対応する各金種別帯封紙幣収納庫７２に収納されるが、判別部６２により判別された金種に対応する金種別帯封紙幣収納庫７２がフル状態またはニアフル状態であり当該金種別帯封紙幣収納庫７２に帯封紙幣をこれ以上収納することができない場合には、当該帯封紙幣はオーバーフロー帯封紙幣として一括帯封紙幣収納庫７０に収納されるようになる。
【００４８】
次に、紙幣処理装置２において一括帯封紙幣収納庫７０や各金種別帯封紙幣収納庫７２に収納されている帯封紙幣の出金処理を行う際の動作について説明する。一括帯封紙幣収納庫７０や各金種別帯封紙幣収納庫７２に収納されている帯封紙幣を帯封紙幣出金部１７により筐体１２の外部に出金する際には、循環ベルト６０ｂが図２における時計回りの方向に循環移動する。また、一括帯封紙幣収納庫７０や各金種別帯封紙幣収納庫７２において帯封紙幣が集積されているステージ７０ａ、７２ａが上昇することにより最上層にある帯封紙幣が突起６０ａにより引っ掛けられて循環ベルト６０ｂの下面に沿って図２における左方向に搬送される。また、ステージ１８が上昇して帯封紙幣搬送部６０の近傍の位置まで到達するようになる。そして、帯封紙幣搬送部６０により搬送される帯封紙幣の金種が判別部６２により判別された後、当該帯封紙幣はステージ１８上に１つずつ集積され、ステージ１８に所定の数の帯封紙幣が集積されると当該ステージ１８が下降してこのステージ１８から帯封紙幣出金部１７に帯封紙幣が受け渡されるようになる。そして、出金されるべき帯封紙幣が全て帯封紙幣出金部１７に送られると、バラ紙幣出金部１６に設けられたシャッター１６ａが開くことにより帯封紙幣出金部１７における筐体１２の前面に面する開口も開くようになり、操作者は帯封紙幣出金部１７から帯封紙幣を取り出すことができるようになる。
【００４９】
次に、本実施の形態の紙幣処理装置２の帯封機構５０において帯封処理が行われる際の動作について図５乃至図１０を用いて詳述する。なお、図５乃至図１０において、第１アーム機構４１の上下一対のホルダ部により挟持された状態にある紙幣束を参照符号Ｐで示しており、この紙幣束に巻かれる帯封紙を参照符号Ｂで示している。
【００５０】
図５（ａ）は、帯封紙案内部５４から第２引出ユニット５０ｂの内部に案内された帯封紙が帯封紙ホルダ５５により保持される前の状態を示している。図５（ａ）に示すように、帯封紙が帯封紙ホルダ５５により保持される前の状態では、当該帯封紙ホルダ５５の一対のホルダ部分は互いに離間した状態となっている。また、帯封紙案内部５４の一対の挟持部分５４ａ、５４ｂの先端部分（すなわち、下端部分）の間から所定の長さの帯封紙が下方向に出されており、この帯封紙は帯封紙ホルダ５５の一対のホルダ部分の間の隙間を通って延びるようになっている。また、上側ガイド部５８および下側ガイド部５９は互いに離間した状態となっている。
【００５１】
図５（ａ）に示すような状態において帯封紙ホルダ５５の一対のホルダ部分が互いに接近する方向に移動し、これらの一対のホルダ部分により帯封紙が挟持された後、ホルダ支持部９０の支持アーム９２が軸９４を中心として図５における反時計回りの方向に回転することにより、図５（ｂ）に示すように帯封紙ホルダ５５の一対のホルダ部分は図５（ａ）に示す位置から下方に移動して下側ガイド部５９の近傍の位置に到達するようになる。図５（ｂ）は、第１アーム機構４１によって帯封機構５０に紙幣束が送られる前の状態（すなわち、帯封機構５０の待機状態）を示している。
【００５２】
そして、整理一時保留部４０から第１アーム機構４１によって取り出された紙幣束が当該第１アーム機構４１により帯封機構５０に送られると、第１アーム機構４１の上下一対のホルダ部により挟持された状態にある紙幣束は上側ガイド部５８および下側ガイド部５９の間の領域にある帯封位置に位置するようになる。また、この際に、帯封紙ホルダ５５により保持された帯封紙の先端部分が紙幣束の下面に接するようになる。なお、上述したように、帯封機構５０において帯封処理が行われる際に、第１アーム機構４１の上下一対のアーム部により挟持された状態にある紙幣束の外周面に帯封紙が巻かれるようになっているが、図５乃至図８では簡略化のために第１アーム機構４１の図示を省略するようになっている。また、第１アーム機構４１の上下一対のアーム部により挟持された状態にある紙幣束の外周面に帯封紙が巻かれる際に、紙幣束の幅方向（長手方向）における帯封紙が巻かれる位置は第１アーム機構４１の上下一対のアーム部により挟持される位置からずれるようになっている（図１０参照）。
【００５３】
その後、図６（ａ）に示すように、軸９４を中心としてホルダ支持部９０の支持アーム９２を図５における反時計回りの方向にわずかに回転させ、下側ガイド部５９が上方向に移動したときにこの下側ガイド部５９と帯封紙ホルダ５５とが衝突しないように帯封紙ホルダ５５を図５（ｃ）に示す位置から右側に移動させる。そして、図６（ｂ）に示すように、下側ガイド部５９を上方向に移動させる。この際に、帯封紙案内部５４と帯封紙ホルダ５５との間にある帯封紙は下側ガイド部５９における左右一対のガイド部分５９ｃの間の空間に入るようになり、帯封紙の幅方向における位置がこれらのガイド部分５９ｃにより規制されるようになる。このことにより、帯封紙案内部５４と帯封紙ホルダ５５との間にある帯封紙の位置が当該帯封紙の幅方向（すなわち、図５乃至図８の紙面に対して直交する方向）にずれてしまうことを防止することができるようになる。
【００５４】
その後、図６（ｃ）に示すように、軸９４を中心としてホルダ支持部９０の支持アーム９２を図６における反時計回りの方向に更に回転させ、第１アーム機構４１の上下一対のアーム部により挟持された状態にある紙幣束の上面に帯封紙ホルダ５５が接するようにする。この際に、帯封紙ホルダ５５により保持された帯封紙の先端部分は、紙幣束の右端部分で折り返されて当該紙幣束の下面に沿うようになる。なお、この際にも、紙幣束の右端部分で折り返された帯封紙の先端部分は下側ガイド部５９における左右一対のガイド部分５９ｃの間の空間に入るようになり、帯封紙の幅方向における位置がこれらのガイド部分５９ｃにより規制されるようになる。このことにより、紙幣束の右端部分で折り返された帯封紙の先端部分の位置が当該帯封紙の幅方向にずれてしまうことを防止することができるようになる。
【００５５】
その後、図７（ａ）に示すように、上側ガイド部５８が下方向に移動するとともに下側ガイド部５９が上方向に移動し、第１アーム機構４１の上下一対のアーム部により挟持された状態にある紙幣束を、上側ガイド部５８および下側ガイド部５９の間で挟むようにする。そして、上側ガイド部５８および下側ガイド部５９の間で紙幣束が挟持されると、巻出ロール５１の回転軸５１ａが駆動モータ５１ｂにより図４における反時計回りの方向に回転させられ、当該巻出ロール５１に帯封紙が巻き戻される。このことにより、図７（ｂ）に示すように、紙幣束に巻かれた帯封紙が帯封紙案内部５４側に引っ張られるようになり、紙幣束に巻かれた帯封紙が当該紙幣束に締め付けられるようになる。なお、この際に、帯封紙案内部５４において軸５４ｃに設けられた図示しないねじりバネによる付勢力に抗して挟持部分５４ｂは軸５４ｃを中心として図７（ｂ）における時計回りの方向に回転し、当該挟持部分５４ｂの先端部分は挟持部分５４ａの先端部分から離間する方向に移動する。
【００５６】
その後、図７（ｃ）に示すように、帯封紙案内部５４および紙幣束の左端部分の間にある帯封紙の箇所に溶着切断部５７が進出し、更にこの溶着切断部５７のヒータ５７ａが紙幣束に押し当てられるよう当該溶着切断部５７が下方向に移動することにより（図８（ａ）参照）、当該ヒータ５７ａによって紙幣束に巻かれて締め付けられた帯封紙の重複部分の溶着が行われる。さらに、ヒータ５７ａが帯封紙に押し当てられた状態で溶着切断部５７が右方向に移動することにより（図８（ｂ）参照）、この溶着切断部５７のカッター５７ｂによって帯封紙の切断が行われる。ここで、本実施の形態では、ヒータ５７ａおよびカッター５７ｂは共通の支持アーム５７ｃに取り付けられており、この支持アーム５７ｃが図示しない１つのアクチュエータによって動作されることにより帯封紙の溶着および切断が行われるため、ヒータ５７ａおよびカッター５７ｂにそれぞれアクチュエータを設けた場合と比較して、アクチュエータの数を減らすことができ、よって帯封機構５０の製造コストを低減することができるようになる。また、帯封紙の溶着および切断をワンアクションで行うことができるため、帯封紙幣を完成させる時間の短縮化を図ることができるようになる。
【００５７】
そして、溶着切断部５７によって帯封紙の溶着および切断が行われた後、図８（ｃ）に示すように上側ガイド部５８が上方向に移動するとともに下側ガイド部５９が下方向に移動し、上下一対のガイド部５８、５９から帯封紙幣が解放される。また、溶着切断部５７も上方向に退避する。このようにして帯封機構５０による帯封処理の一連の動作が完了する。
【００５８】
図９は、帯封機構５０において上下一対のガイド部５８、５９から帯封紙幣が解放されたときの状態を示す側面図である。図９に示すように、紙幣束に巻かれた帯封紙は、紙幣束を１周した後に帯封紙ホルダ５５の部分で折り返され、更に図９における紙幣束の右端部分で折り返されてこの紙幣束の下面に沿って延びるようになっている。この場合には、単に紙幣束に帯封紙を１周巻いて締め付けることにより形成される帯封紙幣と比較して、紙幣束の右端部分で帯封紙を更に折り返すことによって紙幣束に対する帯封紙の締め付けをより強固なものとすることができる。また、上述したように、紙幣束に帯封紙を巻いて締め付ける動作の途中で、紙幣束の右端部分で折り返された帯封紙の先端部分は下側ガイド部５９における左右一対のガイド部分５９ｃの間の空間に入るようになり、帯封紙の幅方向における位置がこれらのガイド部分５９ｃにより規制されるようになる。このことにより、紙幣束の右端部分で折り返された帯封紙の先端部分の位置が当該帯封紙の幅方向にずれてしまうことを防止することができるようになり、帯封機構５０により形成される帯封紙幣の見栄えを良くすることができるようになる。
【００５９】
また、帯封機構５０において上下一対のガイド部５８、５９から帯封紙幣が解放された状態では、図９や図１０（ａ）に示すように、帯封紙ホルダ５５は帯封紙幣における紙幣束と帯封紙との間に挟まれた状態となっている。ここで、本実施の形態では、第１アーム機構４１が帯封機構５０から退避することによりこの第１アーム機構４１の上下一対のアーム部により挟持された状態にある帯封紙幣が帯封機構５０の帯封位置（すなわち、図４に示す位置）から移動する際に、帯封紙ホルダ５５が帯封紙幣と一体的に移動することによってこの帯封紙幣における紙幣束と帯封紙との間の隙間から外れるようになっている。このような動作について図１０を用いて詳述する。
【００６０】
上述したように、帯封紙ホルダ５５はホルダ支持部９０の支持アーム９２における第１アーム部分９２ａの先端部分に取り付けられており、この第１アーム部分９２ａは第２アーム部分９２ｂに対して軸９２ｃを中心として回転自在となっている。このことにより、第１アーム機構４１が帯封機構５０から退避する際に、この第１アーム機構４１の上下一対のアーム部により挟持された状態にある帯封紙幣が図１０（ｂ）の矢印に示す方向に移動すると、当該帯封紙幣における紙幣束と帯封紙との間に挟まれた状態にある帯封紙ホルダ５５はこれらの紙幣束や帯封紙との間で働く摩擦力によって図１０（ｂ）の矢印に示す方向に引っ張られるようになり、この帯封紙ホルダ５５が取り付けられた第１アーム部分９２ａは軸９２ｃを中心として回転するようになる。より詳細には、上述したように、軸９２ｃには図示しないねじりバネが設けられており、当該ねじりバネにより第１アーム部分９２ａは第２アーム部分９２ｂに対して軸９２ｃを中心として図１０における時計回りの方向に回転する力が常に付勢されているが、帯封紙幣における紙幣束と帯封紙との間に挟まれた状態にある帯封紙ホルダ５５が図１０（ｂ）の矢印に示す方向に引っ張られると、第１アーム部分９２ａはこのねじりバネによる付勢力に抗して軸９６ｃを中心として図１０における反時計回りの方向に回転するようになる。このようにして、帯封紙ホルダ５５が帯封紙幣と一体的に移動することによって当該帯封紙ホルダ５５は図１０（ｃ）に示すようにこの帯封紙幣における紙幣束と帯封紙との間の隙間から外れるようになる。また、帯封紙ホルダ５５が帯封紙幣における紙幣束と帯封紙との間の隙間から外れると、軸９２ｃに設けられた上記のねじりバネによって第１アーム部分９２ａが第２アーム部分９２ｂに対して軸９２ｃを中心として図１０における時計回りの方向に回転させられ、帯封紙幣における紙幣束と帯封紙との間の隙間から外れた帯封紙ホルダ５５は元の待機位置（すなわち、図１０（ｃ）に示す位置）に戻るようになる。
【００６１】
以上のような構成からなる本実施の形態の帯封機構５０およびこのような帯封機構５０を備えた紙幣処理装置２によれば、帯封位置にある紙幣束（紙葉類の束）に帯封紙（帯封媒体）が巻かれて溶着切断部５７によって帯封紙の溶着および切断が行われることにより帯封紙幣が形成されるようになっており、また、帯封紙ホルダ５５（帯封媒体保持部）は、帯封紙幣が帯封位置から移動する際にこの帯封紙幣と一体的に移動することによって帯封紙幣における紙幣束と帯封紙との間の隙間から外れるような構成となっている。このように、帯封紙幣が帯封位置から移動する際に当該帯封紙幣と一体的に帯封紙ホルダ５５が移動することによってこの帯封紙幣における紙幣束と帯封紙との間の隙間から帯封紙ホルダ５５が外れることにより、帯封紙幣を帯封位置から別の場所に移動させる動作および帯封紙幣における紙幣束と帯封紙との間の隙間から帯封紙ホルダ５５を抜き取る動作を同時に行うことができ、よって帯封機構５０により帯封紙幣が形成された後に当該帯封機構５０から帯封紙幣を取り出す際にかかる時間を短くすることができる。また、帯封紙ホルダ５５を帯封紙幣から抜き取るための駆動部やリンク機構を設ける必要がないため帯封機構５０の製造コストを低減することができるようになる。
【００６２】
すなわち、従来の帯封機構では、帯封紙幣が作成された後に、このような帯封紙幣における紙幣束と帯封紙との間から帯封紙ホルダを抜き取るために、帯封紙幣における紙幣束に巻かれた帯封紙と直交する方向に帯封紙ホルダを移動させるアクチュエータ等の駆動部やリンク機構を第１アーム機構４１とは別に設ける必要があった。しかしながら、このような駆動部やリンク機構を設けた場合には、帯封紙幣が作成された後に駆動部によって帯封紙ホルダを移動させ、帯封紙ホルダを帯封紙幣から抜き取った後に第１アーム機構４１によって帯封紙幣を帯封位置から別の場所に移動させるため、処理時間が長くなってしまうという問題があった。また、帯封紙ホルダを帯封紙幣から抜き取るための駆動部やリンク機構を設けた場合には、帯封機構の製造コストが増えてしまうという問題があった。これに対し、本実施の形態の帯封機構５０では、帯封紙幣が帯封位置から移動する際に当該帯封紙幣と一体的に帯封紙ホルダ５５が移動することによってこの帯封紙幣における紙幣束と帯封紙との間の隙間から帯封紙ホルダ５５が外れるようになっているため、上記の従来技術の帯封機構における、駆動部によって帯封紙ホルダを移動させてこの帯封紙ホルダを帯封紙幣から抜き取る動作を省略することができ、よって帯封機構５０から帯封紙幣を取り出す際にかかる時間を従来技術の帯封機構と比較して短くすることができる。また、本実施の形態の帯封機構５０では、上記の従来技術の帯封機構における帯封紙ホルダを帯封紙幣から抜き取るための駆動部やリンク機構を設ける必要がないためこのような従来技術の帯封機構と比較して製造コストを低減することができるようになる。
【００６３】
また、本実施の形態の帯封機構５０においては、上述したように、帯封紙ホルダ５５が取り付けられた第１アーム部分９２ａは軸９２ｃを中心として回転可能となっており、この帯封紙ホルダ５５は、帯封紙幣が帯封位置から移動する際に当該帯封紙幣と連動して回転するようになっている。また、帯封紙ホルダ５５を待機位置に維持するよう当該帯封紙ホルダ５５が取り付けられた第１アーム部分９２ａを付勢する付勢部として軸９２ｃにはねじりバネ（図示せず）が設けられており、帯封紙ホルダ５５が帯封紙幣と一体的に移動する際に、付勢部としてのねじりバネによる付勢力に抗して帯封紙ホルダ５５は待機位置から外れるようになっている。このような技術的事項によれば、帯封紙幣における紙幣束と帯封紙との間の隙間から帯封紙ホルダ５５が外れた後、付勢部としてのねじりバネによって帯封紙ホルダ５５を自動的に元の待機位置に戻すことができるようになる。
【００６４】
なお、本実施の形態による帯封機構５０やこのような帯封機構５０を備えた紙幣処理装置２は、上述したような態様に限定されることはなく、様々な変更を加えることができる。
【００６５】
例えば、帯封機構５０において、印字部材５２および押印部材５３の両方が設置される代わりに、印字部材５２または押印部材５３のいずれか一方のみが設置されるようになっていてもよい。また、帯封機構５０において印字部材５２または押印部材５３の両方の設置が省略されるようになっていてもよい。
【００６６】
また、上記の態様では、帯封機構５０により形成された帯封紙幣をこの帯封機構５０から取り出す際に第１アーム機構４１の上下一対のアーム部により帯封紙幣が挟持された状態でこの帯封紙幣が帯封位置から移動するようになっており、帯封紙幣が帯封位置から移動する際に帯封紙ホルダ５５がこの帯封紙幣と一体的に移動することによって帯封紙幣における紙幣束と帯封紙との間の隙間から帯封紙ホルダ５５が外れるようになっているが、本発明による帯封機構はこのような態様に限定されることはない。変形例に係る帯封機構として、当該帯封機構により作成された帯封紙幣が操作者の手によってこの帯封機構から取り出されるようになっており、操作者が帯封紙幣を帯封位置から手で移動させる際にこの帯封紙幣における紙幣束と帯封紙との間に挟まった状態にある帯封紙ホルダがこの帯封紙幣と一体的に移動することによって帯封紙幣における紙幣束と帯封紙との間の隙間から帯封紙ホルダが外れるようになっていてもよい。
【００６７】
また、本発明における、帯封位置にある紙葉類の束に帯封媒体を巻いて引き締めた後に当該帯封媒体の切断を行うことによって帯封紙葉類を作成するような帯封機構は、所定枚数のバラ紙幣からなる紙幣束に帯封紙を巻くことにより帯封紙幣を作成するものに限定されることはない。本発明に係る帯封機構により帯封処理が行われる対象となる紙葉類として、商品券や小切手等、紙幣以外のものが用いられてもよい。また、このような紙葉類の束に巻かれる帯封媒体は帯封紙に限定されることはなく、紙以外の材料からなる帯状の部材が紙葉類の束に巻かれて引き締められた後に切断されることにより帯封紙葉類が形成されるようになっていてもよい。
【符号の説明】
【００６８】
１      貨幣処理機
２      紙幣処理装置
３      硬貨処理装置
１２    筐体
１２ａ  前扉
１３    引出ユニット
１４    入金部
１４ａ  シャッター
１４ｂ  シャッター駆動部
１４ｃ  紙幣繰出機構
１５    搬送部
１６    バラ紙幣出金部
１６ａ  シャッター
１６ｂ  シャッター駆動部
１７    帯封紙幣出金部
１８    ステージ
１９    分離部材
２０    識別部
２２    表裏反転部
２４    出金リジェクト部
２４ａ  シャッター
２４ｂ  シャッター駆動部
２６    入金リジェクト部
２６ａ  シャッター
２６ｂ  シャッター駆動部
３０    入金一時保留部
３０ａ  紙幣繰出繰入機構
３２    一括バラ紙幣収納庫
３２ａ  紙幣繰出繰入機構
３４    金種別バラ紙幣収納庫
３４ａ  紙幣繰出繰入機構
４０    整理一時保留部
４１    第１アーム機構
４２    第２アーム機構
５０    帯封機構
５０ａ  第１引出ユニット
５０ｂ  第２引出ユニット
５１    巻出ロール
５１ａ  回転軸
５１ｂ  駆動モータ
５２    印字部材
５３    押印部材
５３ａ  第１スタンプ部
５３ｂ  第２スタンプ部
５３ｃ、５３ｄ  インク補充部分
５３ｅ、５３ｆ  押印面
５４    帯封紙案内部
５４ａ、５４ｂ  挟持部分
５４ｃ  軸
５４ｄ、５４ｅ  両端部
５４ｆ  通路
５５    帯封紙ホルダ
５７    溶着切断部
５７ａ  ヒータ
５７ｂ  カッター
５７ｃ  支持アーム
５８    上側ガイド部
５９    下側ガイド部
５９ａ  ベース部分
５９ｂ  弾性部材
５９ｃ  ガイド部分
６０    帯封紙幣搬送部
６０ａ  突起
６０ｂ  循環ベルト
６２    判別部
７０    一括帯封紙幣収納庫
７０ａ  ステージ
７２    金種別帯封紙幣収納庫
７２ａ  ステージ
８０    制御部
８２    操作表示部
８４    記憶部
８６    印字部
８８    通信インターフェース部
９０    ホルダ支持部
９２    支持アーム
９２ａ  第１アーム部分
９２ｂ  第２アーム部分
９２ｃ  軸
９４    軸
【図１】
0006472699.tif 000002
【図２】
0006472699.tif 000003
【図３】
0006472699.tif 000004
【図４】
0006472699.tif 000005
【図５】
0006472699.tif 000006
【図６】
0006472699.tif 000007
【図７】
0006472699.tif 000008
【図８】
0006472699.tif 000009
【図９】
0006472699.tif 000010
【図１０】
0006472699.tif 000011
【図１１】
0006472699.tif 000012
【図１２】
0006472699.tif 000013
【図１３】
0006472699.tif 000014